(57)【要約】【課題】専用の回路基板等を用いることなく外部とのインターフェイス部品を実装して、表示パネルモジュールの薄型化を図る。【解決手段】映像を表示するための画素回路がマトリクス状に配置された表示パネル１１と、この表示パネルを駆動する回路部品を搭載した駆動回路基板１２と、フレキシブルな基材上に上記画素回路を駆動するための回路部品を搭載し、上記表示パネルと上記駆動回路基板を接続するフレキシブル回路基板１３とを備え、上記フレキシブル回路基板１３は、上記表示パネル１１と上記駆動回路基板１２間に、所定の間隔を経て配置され、上記駆動回路基板１２は、上記フレキシブル回路基板１３を折り曲げた状態で上記表示パネル１１の裏面側に配置され、且つ、上記駆動回路基板１２は、上記フレキシブル回路基板１３と重ね合わさらない領域にインターフェイス部品１５を実装したものである。【選択図】図２
2008152086.tif 000002
【特許請求の範囲】
【請求項１】
映像を表示するための画素回路がマトリクス状に配置された表示パネルと、
この表示パネルを駆動する回路部品を搭載した駆動回路基板と、
フレキシブルな基材上に上記画素回路を駆動するための回路部品を搭載し、上記表示パネルと上記駆動回路基板を接続するフレキシブル回路基板とを備え、
上記駆動回路基板は、上記フレキシブル回路基板と重ね合わさらない領域にインターフェイス部品を有する、
ことを特徴とする表示装置。
【請求項２】
上記インターフェイス部品は、上記表示パネルの映像表示側から認識可能な位置に配置されていることを特徴とする請求項１記載の表示装置。
【請求項３】
上記インターフェイス部品は、外部装置と上記表示パネル間の信号の送受信を行なうことを特徴とする請求項１記載の表示装置。
【請求項４】
上記インターフェイス部品は、上記表示パネルの動作状態を外部に示すための発光部材であることを特徴とする請求項１記載の表示装置。
【請求項５】
上記フレキシブル回路基板に搭載される上記回路部品は、上記フレキシブル回路基板を折り曲げたときその折り曲げ部の内側に位置するように搭載したことを特徴とする請求項１記載の表示装置。
【請求項６】
上記画素回路は、電流値によって輝度が制御される発光素子であることを特徴とする請求項１記載の表示装置。
【請求項７】
上記発光素子は、有機エレクトロルミネッセンス素子であることを特徴とする請求項６記載の表示装置。
【請求項８】
映像を表示するための画素回路がマトリクス状に配置された表示パネルと、
この表示パネルを駆動する回路部品を搭載した駆動回路基板と、
フレキシブルな基材上に上記画素回路を駆動するための回路部品を搭載し、上記表示パネルと上記駆動回路基板を接続するフレキシブル回路基板とを備え、
上記フレキシブル回路基板は、上記表示パネルと上記駆動回路基板間に、所定の間隔を経て配置され、
上記駆動回路基板は、上記フレキシブル回路基板を折り曲げた状態で上記表示パネルの裏面側に配置され、且つ、上記駆動回路基板は、上記フレキシブル回路基板と重ね合わさらない領域にインターフェイス部品を有する、
ことを特徴とする表示装置。
【請求項９】
映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、上記駆動回路基板は、上記フレキシブル回路基板と重ね合わさらない領域にインターフェイス部品を有して構成された表示装置を、表示手段として具備する、
ことを特徴とする電子機器。
【発明の詳細な説明】
【技術分野】
【０００１】
本発明は、映像を表示するための画素回路がマトリクス状に配置された表示パネルを有する表示装置に関し、詳しくは、専用の回路基板等を用いることなく外部とのインターフェイス部品を実装することができ、表示パネルモジュールの薄型化を図れる実装構造を有する表示装置、及びこの表示装置を表示手段として具備する電子機器に係るものである。
【背景技術】
【０００２】
一般的に、２０型（画面サイズが２０インチのタイプ）を超える中型以上の液晶表示パネル（ＬＣＤ）又はプラズマ表示パネル（ＰＤＰ）などのディスプレイにおいては、そのパネルモジュールの厚さは、数cmから１０cm程度である。これに対して、発光素子が有機エレクトロルミネッセンス（以下「有機ＥＬ」という）素子である有機ＥＬ表示パネルにおいては、そのパネルモジュールの厚さは、数mmであり、薄型であるのが特徴である。
【０００３】
いま、液晶表示ディスプレイを例にとると、図１３（ａ），（ｂ）に示すように、液晶表示素子がマトリクス状に配置された表示パネル１と、この表示パネル１を駆動する回路部品を搭載した駆動回路基板２と、上記表示パネル１と駆動回路基板２との間に設けられ、フレキシブルな基材上に上記液晶表示素子を駆動するための回路部品を搭載して個々の間に所定間隔をおいて複数個配置され、上記表示パネル１と駆動回路基板２とを接続するフレキシブル回路基板３と、上記表示パネル１の背面に設けられたバックライトユニット４とを備えている。この場合、表示パネル１自体は数mmの厚さで形成することができるが、バックライトユニット４を必要とするために上記のように数cmから１０cm程度の厚さとなる。
【０００４】
ここで、上記表示パネル１には、液晶表示素子を駆動するための駆動ＩＣが必須であり、その取り付け方法として該表示パネル１と駆動回路基板２にそれぞれＡＣＦ（異方性導電フィルム）圧着により接続することが一般的である。そして、上記駆動回路基板２は、上記フレキシブル回路基板３を表示パネル１の後方に向けて略９０度折り曲げ、バックライトユニット４の底面に位置させてその厚さ部分に固定されている。この場合、上記バックライトユニット４が存在するために、駆動回路基板２は、上記表示パネル１に対して略９０度の角度位置しかとることができないものであった。
また、表示パネル１の前面側に、外部とのインターフェイス部品を実装するためには、上記駆動回路基板２とは別個に専用の回路基板を表示パネル１の前面側に設ける必要があった。
【０００５】
そして、上記のような液晶表示ディスプレイは、例えば、特許文献１，２，３に記載されている。
【特許文献１】特開２００１−２０１７３３号公報
【特許文献２】特開２００４−２１３０３５号公報
【特許文献３】特開２００６−１４６２７５号公報
【発明の開示】
【発明が解決しようとする課題】
【０００６】
図１３に示す従来の液晶表示ディスプレイにおいては、バックライトユニット４が存在するために、駆動回路基板２を略１８０度折り返して表示パネル１の背面側に固定することはできなかった。上記バックライトユニット４を極めて薄いものに形成すれば、上記駆動回路基板２を略１８０度折り返して表示パネル１の背面側に位置させることはできるが、表示パネル１とバックライトユニット４と駆動回路基板２とを合わせた全体の厚さはあまり薄くはできない。更に、上記したように表示パネル１の前面側に、外部とのインターフェイス部品である専用の回路基板を実装する必要があるため、たとえ、バックライトユニット４の厚みを薄型化することができても、更には、バックライトユニット４が不要である有機ＥＬ表示パネルを用いても、表示パネルモジュールが複雑化かつ大型化して、薄型化を図ることができないものであった。
【０００７】
そこで、本発明は、このような問題点に対処し、従来のように、専用の回路基板等を用いることなく外部とのインターフェイス部品を実装することができ、表示パネルモジュールの薄型化を図ろうとする表示装置、及び、この表示装置を具備する電子機器を提供することを目的とする。
【課題を解決するための手段】
【０００８】
上記目的を達成するために、本発明による表示装置は、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、上記駆動回路基板は、上記フレキシブル回路基板と重ね合わさらない領域にインターフェイス部品を有することを特徴とする。
【０００９】
このような構成により、専用の回路基板等を用いることなく外部とのインターフェイス部品を実装できる。
【００１０】
また、他の手段による表示装置は、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、上記フレキシブル回路基板は、上記表示パネルと上記駆動回路基板間に、所定の間隔を経て配置され、上記駆動回路基板は、上記フレキシブル回路基板を折り曲げた状態で上記表示パネルの裏面側に配置され、且つ、上記駆動回路基板は、上記フレキシブル回路基板と重ね合わさらない領域にインターフェイス部品を有することを特徴とする。
【００１１】
このような構成により、専用の回路基板等を用いることなく外部とのインターフェイス部品を実装できる。
【００１２】
さらに、本発明による電子機器は、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、上記駆動回路基板は、上記フレキシブル回路基板と重ね合わさらない領域にインターフェイス部品を有して構成された表示装置を、表示手段として具備することを特徴とする。
【００１３】
このような構成により、専用の回路基板等を用いることなく外部とのインターフェイス部品を実装した表示装置を、表示手段として具備できる。
【発明の効果】
【００１４】
請求項１〜４に係る発明によれば、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、ここで上記駆動回路基板には、上記フレキシブル回路基板と重ね合わさらない領域にインターフェイス部品を実装することができる。これにより、専用の回路基板等を用いることなく外部とのインターフェイス部品を実装することができ、表示パネルモジュールを簡略化かつ小型化することができる。この場合、上記表示パネルと駆動回路基板とを合わせた厚さの範囲内に上記インターフェイス部品を納めて実装することができるので、表示パネルモジュールの薄型化を図ることができる。
【００１５】
また、請求項５に係る発明によれば、フレキシブル回路基板に搭載される回路部品を、フレキシブル回路基板を折り曲げたときその折り曲げ部の内側に位置するように搭載したことにより、上記フレキシブル回路基板に搭載される回路部品をも、表示パネルと駆動回路基板とを合わせた厚さの範囲内に納めて実装することができ、表示パネルモジュールの薄型化を図ることができる。
【００１６】
さらに、請求項６，７に係る発明によれば、映像を表示するための画素回路を電流値によって輝度が制御される発光素子、特に、有機エレクトロルミネッセンス素子としたことにより、薄型が特徴である有機ＥＬ表示パネルにおいて、さらに表示パネルモジュールの薄型化を図ることができる。
【００１７】
また、請求項８に係る発明によれば、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、ここで上記フレキシブル回路基板は、上記表示パネルと上記駆動回路基板間に所定の間隔を経て配置され、上記駆動回路基板は、上記フレキシブル回路基板を折り曲げた状態で上記表示パネルの裏面側に配置され、且つ、上記駆動回路基板には、上記フレキシブル回路基板と重ね合わさらない領域にインターフェイス部品を実装することができる。これにより、専用の回路基板等を用いることなく外部とのインターフェイス部品を実装することができ、表示パネルモジュールを簡略化かつ小型化することができる。この場合、上記表示パネルと駆動回路基板とを合わせた厚さの範囲内に上記インターフェイス部品を納めて実装することができるので、表示パネルモジュールの薄型化を図ることができる。
【００１８】
さらに、請求項９に係る発明によれば、映像を表示するための画素回路がマトリクス状に配置された表示パネルと、この表示パネルを駆動する回路部品を搭載した駆動回路基板と、フレキシブルな基材上に上記画素回路を駆動するための回路部品を搭載し、上記表示パネルと上記駆動回路基板を接続するフレキシブル回路基板とを備え、上記駆動回路基板は、上記フレキシブル回路基板と重ね合わさらない領域にインターフェイス部品を有して構成された表示装置を、表示手段として具備することができる。これにより、専用の回路基板等を用いることなく外部とのインターフェイス部品を実装することができ、表示パネルモジュールを簡略化かつ小型化することができる表示装置を表示手段として具備することで、電子機器の小型化を図ることができる。
【発明を実施するための最良の形態】
【００１９】
以下、本発明の実施形態を添付図面に基づいて詳細に説明する。
図１は本発明による表示パネルの実装構造の実施形態を示す図であり、駆動回路基板を表示パネルの背面側に折り返す前の状態を示す説明図である。図２は上記駆動回路基板を表示パネルの背面側に折り返して固定した状態を示す説明図である。
【００２０】
図１において、表示パネル１１は、映像を表示するための画素回路がｍ×ｎのマトリクス状に配置されて、横長の矩形状に形成されている。この実施形態では、上記画素回路として、電流値によって輝度が制御される多数の発光素子が有機ＥＬ素子である有機ＥＬ表示パネルの場合について示している。このように、有機ＥＬ表示パネルから成る表示パネル１１においては、該表示パネル１１の背面にバックライトユニットは不要である。
【００２１】
上記表示パネル１１は、駆動回路基板１２によって駆動される。この駆動回路基板１２は、表示パネル１１の全体を駆動するもので、ＩＣ（集積回路）などの回路部品が搭載されている。なお、この駆動回路基板１２は、上記表示パネル１１の一側辺、例えば横方向の辺に沿って略同じ長さで延びる横長の矩形状に形成されている。
【００２２】
上記表示パネル１１と駆動回路基板１２との間には、フレキシブル回路基板１３が配置されている。このフレキシブル回路基板１３は、上記表示パネル１１と駆動回路基板１２とを接続するもので、フレキシブルな基材上に上記有機ＥＬ素子を駆動するための回路部品１４を搭載して個々の間に所定間隔をおいて複数個配置されている。すなわち、上記表示パネル１１の例えば横方向の辺に沿って短寸の矩形状板に形成され、個々の矩形状板の間の間隔が所定量ｃ，ｄ，ｅとされている。なお、それぞれの間隔ｃ，ｄ，ｅは、同一でもよいし、異なっていてもよい。
【００２３】
上記フレキシブル回路基板１３に搭載された回路部品１４は、表示パネル１１の有機ＥＬ素子に駆動電流を供給する駆動ＩＣである。そして、この駆動ＩＣ（１４）は、上記表示パネル１１が水平方向に複数の領域（例えば四つの領域）に分割された各領域に対応してそれぞれ一つずつ設けられ、各領域内の有機ＥＬ素子を電流駆動するようになっている。このような駆動ＩＣを搭載したフレキシブル回路基板１３は、テープキャリアパッケージ（ＴＣＰ）と呼ばれるものである。
【００２４】
このような状態で、図１（ｂ）に示すように、上記フレキシブル回路基板１３を矢印Ｒのように略１８０度折り曲げて、図２に示すように、上記駆動回路基板１２を表示パネル１１の背面側に折り返して固定し、上記折り曲げられたフレキシブル回路基板１３，１３の間にて表示パネル１１の前面側に露出した駆動回路基板１２の板面に外部とのインターフェイス部品１５を実装している。
【００２５】
ここで、図２（ａ），（ｂ）に示すように、上記駆動回路基板１２を表示パネル１１の背面側に折り返して接着などにより固定する際には、例えば、上記インターフェイス部品１５を実装するために、該駆動回路基板１２の下部を所定の幅だけ下側にずらして、該下部が表示パネル１１の下辺より下側に突出して前面側に露出した状態とされてもいい。この状態では、図２（ａ）に示すように、略Ｕ字状に折り曲げられたフレキシブル回路基板１３，１３の間の部分において、上記駆動回路基板１２の板面を表示パネル１１の正面側から直視可能な状態となる。
【００２６】
図３は、図２（ａ）のＡ−Ａ線拡大断面図である。この部分は、略Ｕ字状に折り曲げられたフレキシブル回路基板１３が位置している部分であり、その部分の駆動回路基板１２の板面は上記フレキシブル回路基板１３の後方に位置して、その板面を表示パネル１１の正面側から直視できない状態となっている。したがって、この部分には、外部とのインターフェイス部品１５を実装することはできない。なお、上記フレキシブル回路基板１３の前面側には、駆動ＩＣ（１４）が実装されている。
【００２７】
図４は、図２（ａ）のＢ−Ｂ線拡大断面図である。この部分は、所定間隔をおいて配置されたフレキシブル回路基板１３，１３の間にて該フレキシブル回路基板１３が位置していない部分であり、その部分の駆動回路基板１２の板面は、表示パネル１１の正面側から直視可能な状態となっている。したがって、この部分には、外部とのインターフェイス部品１５を実装することができる。そこで、図４において、駆動回路基板１２の板面上にて表示パネル１１の正面側から直視可能な位置に、例えば表示パネル１１の電源状態を表示するインジケータ、表示パネル１１のリモートコントロール装置の受光部、又は画像転送回路等の外部とのインターフェイス部品１５を実装する。このインターフェイス部品１５として用いる具体的な製品としては、例えば、表面実装型の発光ダイオード（ＬＥＤ）とか、赤外線受光素子等がある。
【００２８】
図５は、図２のように駆動回路基板１２を表示パネル１１の背面側に折り返して固定した状態の外装面を示す正面図である。図５においては、上記表示パネル１１の背面側に折り返して固定された駆動回路基板１２の前面側に、樹脂成型による外装板１６を配置して覆っている。そして、図２（ａ）において、駆動回路基板１２の板面に設けられたインターフェイス部品１５の位置に合わせて、外装板１６の該当部分に穴を開けたり又は透明部材で覆ったりして、電源状態を表示するインジケータ１７を配置し、リモートコントロール装置の受光部１８を配置し、さらに、製造又は販売会社のロゴマーク若しくはＩＤマーク（例えば「ＡＢＣ」のようなマーク）等を表示する表示器１９を配置している。なお、製造又は販売会社のロゴマーク若しくはＩＤマーク自体は、外装板１６の樹脂成型や印刷により加工し、その位置の背後に配置した発光ダイオード（ＬＥＤ）によりマークの背後から光を照射すればよい。
【００２９】
図６は、上記フレキシブル回路基板１３に対する回路部品（駆動ＩＣ）１４の実装状態の他の実施形態の例を示す、図２（ａ）のＡ−Ａ線拡大断面図である。この実施形態は、上記フレキシブル回路基板１３に搭載される回路部品１４を、該フレキシブル回路基板１３を略１８０度折り曲げた状態でその折り曲げ部の内側に位置するように搭載したものである。これにより、図３においてはフレキシブル回路基板１３の前面側に配置されていた回路部品１４を、上記フレキシブル回路基板１３の折り曲げ部の内側に位置させて、表示パネル１１と駆動回路基板１２とを合わせた厚さの範囲内に納めて実装することができ、更に表示パネルモジュールの薄型化を図ることができる。
【００３０】
図７は、表示パネル１１と駆動回路基板１２とを接続するフレキシブル回路基板１３の折り曲げ状態の他の実施形態の例を示す、図２（ａ）のＡ−Ａ線拡大断面図である。この実施形態は、表示装置の構造として、表示パネル１１の下部にスペースの余裕がない場合や、フレキシブル回路基板１３の配置に制約がある場合などに対応して、そのフレキシブル回路基板１３を表示パネル１１の背面側に略１８０度折り曲げる際に、上記表示パネル１１の下端部からの距離ｆが図６に示す場合よりも小さくなるようにして該フレキシブル回路基板１３を折り曲げたものである。この場合は、表示パネル１１の下部にスペースの余裕がない場合や、フレキシブル回路基板１３の配置に制約がある場合でも、表示パネルモジュールを表示装置に実装することができる。
なお、図７に示す実施形態は、図６に示す実施形態に対して適用したものであるが、図３に示す実施形態に対しても同様に適用することができる。
【００３１】
以上の説明においては、映像を表示するための画素回路が、発光素子である有機ＥＬ素子を用いた場合について述べたが、本発明はこれに限られないことは言うまでもない。
また、以上説明した本発明による表示装置は、図８〜図１２に示す様々な電子機器、例えば、デジタルカメラ、ノート型パーソナルコンピューター、携帯端末装置、ビデオカメラなどの電子機器に入力された、若しくは、電子機器内で生成された映像信号を、画像若しくは映像として表示するあらゆる分野の電子機器の表示装置に適用することが可能である。
【００３２】
図８は、本発明の表示装置が適用されたテレビを示す図であり、フロントパネル２２、フィルターガラス２３等から構成される映像表示画面２１を含み、本発明の表示装置をその映像表示画面２１に用いることにより作製される。
【００３３】
図９は、本発明の表示装置が適用されたデジタルカメラを示す図であり、撮像レンズ２４、フラッシュ用の発光部２５、表示部２６、メニュースイッチ２８、シャッターボタン２９等を含み、本発明の表示装置をその表示部２６に用いることにより作製される。
【００３４】
図１０は、本発明の表示装置が適用されたノート型パーソナルコンピュータを示す図であり、本体３０には、文字等を入力するとき操作されるキーボード３１を含み、画像を表示する表示部３２等を備えており、本発明の表示装置をその表示部３２に用いることにより作製される。
【００３５】
図１１は、本発明の表示装置が適用された携帯電話等の携帯端末装置を示す図であり、上側筐体３３、下側筐体３４、連結部（ここではヒンジ部）３５、ディスプレイ３６、サブディスプレイ３７、ピクチャーライト３８、カメラ３９等を含み、本発明の表示装置をそのディスプレイ３６やサブディスプレイ３７に用いることにより作製される。
【００３６】
図１２は、本発明の表示装置が適用されたビデオカメラを示す図であり、本体部４０、この本体部４０の前方を向いた側面に配置された被写体撮影用のレンズ４１、撮影時のスタート／ストップスイッチ４２、上記本体部４０の一側面にて展開可能とされた表示部４３等を含み、本発明の表示装置をその表示部４３に用いることにより作製される。
【図面の簡単な説明】
【００３７】
【図１】本発明による表示パネルの実装構造の実施形態において駆動回路基板を表示パネルの背面側に折り返す前の状態を示す図であり、（ａ）は正面図、（ｂ）は右側面図である。
【図２】上記の実施形態において駆動回路基板を表示パネルの背面側に折り返して固定した状態を示す図であり、（ａ）は正面図、（ｂ）は右側面図である。
【図３】図２（ａ）のＡ−Ａ線拡大断面図である。
【図４】図２（ａ）のＢ−Ｂ線拡大断面図である。
【図５】図２のように駆動回路基板を表示パネルの背面側に折り返して固定した状態の外装面を示す正面図である。
【図６】フレキシブル回路基板に対する回路部品の実装状態の他の例を示す、図２（ａ）のＡ−Ａ線拡大断面図である。
【図７】表示パネルと駆動回路基板とを接続するフレキシブル回路基板の折り曲げ状態の他の例を示す、図２（ａ）のＡ−Ａ線拡大断面図である。
【図８】本発明の表示装置が適用されたテレビを示す斜視図である。
【図９】本発明の表示装置が適用されたデジタルカメラを示す斜視図であり、（Ａ）は前面側から見た図であり、（Ｂ）は裏面側から見た図である。
【図１０】本発明の表示装置が適用されたノート型パーソナルコンピュータを示す斜視図である。
【図１１】本発明の表示装置が適用された携帯電話等の携帯端末装置を示す図であり、（Ａ）は上側筐体と下側筐体とを開いた状態を示す正面図、（Ｂ）は（Ａ）の右側面図、（Ｃ）は上側筐体と下側筐体とを閉じた状態を上側筐体側から見た平面図、（Ｄ）は（Ｃ）の左側面図、（Ｅ）は（Ｃ）の右側面図、（Ｆ）は（Ｃ）の背面図、（Ｇ）は（Ｃ）の正面図である。
【図１２】本発明の表示装置が適用されたビデオカメラを示す斜視図である。
【図１３】従来の液晶表示ディスプレイにおける表示パネルの実装構造を示す図であり、（ａ）は正面図、（ｂ）は右側面図である。
【符号の説明】
【００３８】
１１…表示パネル
１２…駆動回路基板
１３…フレキシブル回路基板
１４…回路部品（駆動ＩＣ）
１５…インターフェイス部品
１７…電源状態を表示するインジケータ
１８…リモートコントロール装置の受光部
１９…ロゴマーク若しくはＩＤマーク等を表示する表示器
【図１】
2008152086.tif 000003
【図２】
2008152086.tif 000004
【図３】
2008152086.tif 000005
【図４】
2008152086.tif 000006
【図５】
2008152086.tif 000007
【図６】
2008152086.tif 000008
【図７】
2008152086.tif 000009
【図８】
2008152086.tif 000010
【図９】
2008152086.tif 000011
【図１０】
2008152086.tif 000012
【図１１】
2008152086.tif 000013
【図１２】
2008152086.tif 000014
【図１３】
2008152086.tif 000015